(57)【特許請求の範囲】
【請求項１】
筒状に形成される軸筒を備え、この軸筒の一端側に他の部分よりも外径の小さい縮径部が形成され、この縮径部に弾性体からなる筒状のグリップ部材が前記軸筒の一端側から嵌め込まれている筆記具であって、
前記軸筒は、前記グリップ部材の一方の端部に対応するように形成された段差を有し、且つ、この段差における前記グリップ部材の一方の端部に対向する面である段差面が、外側面の一側からその反対側にかけて当該軸筒の中心軸に対して垂直な垂直面から傾斜するように形成されたものであり、
前記グリップ部材は、前記段差面と対向する端面である段差側端面が外側面の一側からその反対側にかけて前記軸筒の中心軸に対して垂直な垂直面から傾斜するように形成されたものであり、
前記グリップ部材側の前記段差側端面が前記垂直面となす傾斜角度は、前記軸筒側の前記段差面が前記垂直面となす傾斜角度よりも小さいことを特徴とする筆記具。
【請求項２】
前記軸筒の前記一端側の開口を塞ぐための口先部材が設けられ、
前記軸筒の前記一端側の部分に軸筒側ネジ部が形成され、
前記口先部材に前記軸筒側ネジ部と螺合する口先側ネジ部が形成され、
前記軸筒に形成された前記軸筒側ネジ部に、前記口先部材に形成された前記口先側ネジ部を螺合させることにより、前記口先部材が前記軸筒の前記一端側に取り付けられ、
前記グリップ部材には、前記段差側端面の傾斜によって、前記軸筒の軸方向における長さ寸法が最も大きい最長部位と最も小さい最短部位とが形成され、
前記縮径部には、前記段差面の傾斜によって、前記軸筒の軸方向における長さ寸法が最も大きい最長部位と、最も小さい最短部位と、前記最長部位から前記軸筒側ネジ部を除いた被覆最長部分と、最短部位から前記軸筒側ネジ部を除いた被覆最短部分とが形成され、
前記グリップ部材の前記最長部位は、前記縮径部の前記被覆最長部分とほぼ同じ長さ寸法を有し、
前記グリップ部材の前記最短部位は、前記縮径部の前記被覆最短部分よりも大きな長さ寸法を有し、
前記グリップ部材は、前記縮径部の前記段差面と前記口先部材との間に配置され、前記口先部材が前記軸筒の前記一端側に螺合されると、少なくとも前記最短部位が前記軸筒の軸方向に圧縮されるように形成されていることを特徴とする請求項１記載の筆記具。
【請求項３】
前記グリップ部材は、前記軸筒の軸方向に圧縮されていない非圧縮状態で前記縮径部に嵌め込まれると、その最長部位の端部と前記縮径部の前記段差面との間に締め代としての隙間が生じるように形成され、
前記口先部材が前記軸筒の前記一端側に最後まで螺合されると、前記グリップ部材の最長部位の端部と前記縮径部の前記段差面とが接するように形成されていることを特徴とする請求項２記載の筆記具。
【請求項４】
前記縮径部は、互いに外径の異なる第１縮径部及び第２縮径部を有するものとされ、前記口先部材から遠い一端側の第１縮径部よりも他端側の第２縮径部のほうが細く形成され、第１縮径部及び第２縮径部の境界部分で段差を形成している段差面が、軸筒の中心軸と同軸の円錐台状に形成された錐状段差面とされ、
前記グリップ部材は、前記縮径部に対応して内周面が縮径されることにより、前記縮径部の錐状段差面に対応した錐状段差面が、当該内周面に形成されたものであることを特徴とする請求項３記載の筆記具。
【発明の詳細な説明】
【技術分野】
【０００１】
本発明は、筒状に形成される軸筒を備え、この軸筒の一端側における使用者の把持しやすい部分が他の部分の外径よりも小さく縮径された縮径部とされ、この縮径部に柔軟な弾性体からなる筒状のグリップ部材が嵌め込まれている筆記具に関する。
【背景技術】
【０００２】
従来から、長時間の筆記を行うにあたり、握り部が滑ったり、指が痛くなったりしないように、使用者によって把持される軸筒の先端近傍に、柔軟なグリップ部材が被嵌された筆記具が利用されている。
更に具体的に説明すると、筆記具の筒状に形成された軸筒は、先端近傍の部分が縮径された縮径部となっている。そして、軸筒の縮径部には、当該縮径部に応じた内径を有する筒状に形成されたグリップ部材が被嵌されるようになっている。
ここで、グリップ部材の材質としては、一般的に、シリコーンゴム、ＥＰＤＭ（エチレン−プロピレン−ジエンゴム）及びＮＢＲ（アクリロニトリル−ブタジエンゴム）等のゴム、あるいは、熱可塑性エラストマー等の柔軟性に富んだものが採用されている。
【０００３】
また、グリップ部材としては、軸筒の中央部分側に配置される端面が、当該軸筒の中心軸に対して傾斜している、換言すると、当該中心軸に対して垂直な垂直面から傾斜するように形成されたものが知られている。このようなグリップ部材を筆記具に設ければ、グリップ部材の柔軟性により、長時間の筆記による指の痛みを軽減することができるうえ、傾斜した端面により、優れた意匠を筆記具に付与することができる。
以上のようなグリップ部材を備えた筆記具では、先端部分に略円錐形に形成された口先部材が螺合される軸筒が採用されるのが一般的である。そして、このような軸筒には、縮径部よりも外径が大きい部分と当該縮径部との境界に段差が形成されている。これにより、縮径部に嵌め込まれたグリップ部材が、軸筒の段差と口先部材との間に挟持されるようになっている。
【０００４】
ここで、グリップ部材の全長を縮径部の全長よりも長く設定すれば、軸筒に螺合させた口先部材を強く締め付けることにより、段差と口先部材との間に挟持されているグリップ部材が圧縮される。すると、グリップ部材と口先部材とが摩擦係合し、これにより、グリップ部材によって、軸筒に螺合された口先部材の回り止めが行われるようになる。このため、振動等で口先部材の螺合が緩んだりせず、移動中に軸筒から口先部材が不意に外れる等の不具合を未然に防止することができる（例えば、特許文献１参照）。
【特許文献１】特開２００７−２５３５４８号
【発明の開示】
【発明が解決しようとする課題】
【０００５】
前述のような筆記具では、意匠的に外観を向上させるために、端面が軸筒の中心軸に対して傾斜しているグリップ部材、換言すると、当該中心軸に対して垂直な垂直面から傾斜した端面を備えたグリップ部材を採用すると、軸筒に設けられている縮径部の境界に形成される段差面も、グリップ部材の傾斜した端面に対応して傾斜している。
ここで、グリップ部材は、軸筒の段差面と口先部材との間に配置された状態で、軸筒の先端に螺合されている口先部材が締め付けられることにより、軸筒の段差面と口先部材との間に挟持され、これにより、圧縮された状態で固定されるものとなっている。
そして、前述のように段差面が傾斜していると、軸筒の先端に螺合されている口先部材が締め付けられる際に、傾斜した段差面では、グリップ部材の鋭角的に尖った端面の先端を係止することができないので、口先部材の締め付けにより、グリップ部材の鋭角的に尖った端面の先端が傾斜した段差面に沿って移動し、軸筒の表面から浮き上がってしまい、グリップ部材の装着により、かえって筆記具の外観が損なわれるうえ、グリップ部材の端部が捲れて損傷しやすくなる等の不具合が発生する、という問題がある。
【０００６】
そこで、各請求項にそれぞれ記載された各発明は、上記した背景技術の有する問題点に鑑みてなされたものであり、その目的とするところは、軸筒の中心軸に対して垂直な垂直面から傾斜した端面を有するグリップ部材の採用による不具合を解消できる筆記具を提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（第１発明）
（特徴点）
本発明の第１発明は、次の点を特徴とする。
すなわち、本発明の第１発明は、筒状に形成される軸筒(10)を備え、この軸筒(10)の一端側に他の部分よりも外径の小さい縮径部(11)が形成され、この縮径部(11)に弾性体からなる筒状のグリップ部材(５)が前記軸筒(10)の一端側から嵌め込まれている筆記具(１)であって、前記軸筒(10)は、前記グリップ部材(５)の一方の端部に対応するように形成された段差を有し、且つ、この段差における前記グリップ部材(５)の一方の端部に対向する面である段差面(12)が、外側面の一側からその反対側にかけて当該軸筒(10)の中心軸に対して垂直な垂直面から傾斜するように形成されたものであり、前記グリップ部材(５)は、前記段差面(12)と対向する端面である段差側端面(5A)が外側面の一側からその反対側にかけて前記軸筒(10)の中心軸に対して垂直な垂直面から傾斜するように形成されたものであり、前記グリップ部材(５)側の前記段差側端面(5A)が前記垂直面となす傾斜角度(α)は、前記軸筒(10)側の前記段差面(12)が前記垂直面となす傾斜角度(β)よりも小さいことを特徴とする。
【０００８】
（第２発明）
（特徴点）
本発明の第２発明は、前述した本発明の第１発明において、次の特徴点を備えているものである。
すなわち、本発明の第２発明は、前記軸筒(10)の前記一端側の開口を塞ぐための口先部材(４)が設けられ、前記軸筒(10)の前記一端側の部分に軸筒側ネジ部(11C) が形成され、前記口先部材(４)に前記軸筒側ネジ部(11C) と螺合する口先側ネジ部(4A)が形成され、前記軸筒(10)に形成された前記軸筒側ネジ部(11C) に、前記口先部材(４)に形成された前記口先側ネジ部(4A)を螺合させることにより、前記口先部材(４)が前記軸筒(10)の前記一端側に取り付けられ、前記グリップ部材(５)には、前記段差側端面(5A)の傾斜によって、前記軸筒(10)の軸方向における長さ寸法が最も大きい最長部位(5D)と最も小さい最短部位(5E)とが形成され、前記縮径部(11)には、前記段差面(12)の傾斜によって、前記軸筒(10)の軸方向における長さ寸法が最も大きい最長部位(11D) と、最も小さい最短部位(11E) と、前記最長部位(11D) から前記軸筒側ネジ部(11C) を除いた被覆最長部分(11F) と、最短部位(11E) から前記軸筒側ネジ部11C) を除いた被覆最短部分(11G) とが形成され、前記グリップ部材(５)の前記最長部位(5D)は、前記縮径部(11)の前記被覆最長部分(11F) とほぼ同じ長さ寸法を有し、前記グリップ部材(５)の前記最短部位(5E)は、前記縮径部(11)の前記被覆最短部分(11G) よりも大きな長さ寸法を有し、前記グリップ部材(５)は、前記縮径部(11)の前記段差面(12)と前記口先部材(４)との間に配置され、前記口先部材(４)が前記軸筒(10)の前記一端側に螺合されると、少なくとも前記最短部位(5E)が前記軸筒(10)の軸方向に圧縮されるように形成されていることを特徴とする。
【０００９】
（第３発明）
（特徴点）
本発明の第３発明は、前述した本発明の第２発明において、次の特徴点を備えているものである。
すなわち、本発明の第３発明は、前記軸筒(10)の軸方向に圧縮されていない非圧縮状態で前記縮径部(11)に嵌め込まれると、その最長部位(5D)の端部と前記縮径部(11)の前記段差面(12)との間に締め代としての隙間(Ｇ)が生じるように前記グリップ部材(５)が形成され、前記口先部材(４)が前記軸筒(10)の前記一端側に最後まで螺合されると、前記グリップ部材(５)の最長部位(5D)の端部と前記縮径部(11)の前記段差面(12)とが接するように形成されていることを特徴とする。
【００１０】
（第４発明）
（特徴点）
本発明の第４発明は、前述した本発明の第３発明において、次の特徴点を備えているものである。
すなわち、本発明の第４発明は、前記縮径部(11)として、互いに外径の異なる第１縮径部(11A) 及び第２縮径部(11B) を有するものが採用され、前記口先部材(４)から遠い一端側の第１縮径部(11A) よりも他端側の第２縮径部(11B) のほうが細く形成され、第１縮径部(11A) 及び第２縮径部(11B) の境界部分で段差を形成している段差面が、軸筒(10)の中心軸と同軸の円錐台状に形成された錐状段差面(13)とされ、且つ、前記グリップ部材(５)は、前記縮径部(11)に対応して内周面が縮径されることにより、前記縮径部(11)の錐状段差面(13)に対応した錐状段差面(5C)が、当該内周面に形成されたものであることを特徴とするものである。
【発明の効果】
【００１１】
（第１発明の効果）
以上のように構成されている本発明は、以下に記載されるような効果を奏する。
すなわち、本発明の第１発明によれば、グリップ部材の段差側端面を傾斜させ、且つ、このグリップ部材の傾斜した段差側端面と対向する軸筒側の段差面も傾斜させたので、軸筒の表面において、グリップ部材と軸筒との境界線が軸筒の中心軸に対して斜めに延びるようになり、これにより、優れた意匠を筆記具に付与することが可能となる。
そして、グリップ部材側の段差側端面の傾斜角度、更に詳しく説明すると、軸筒の中心軸に対して垂直な垂直面となす段差側端面の角度を、軸筒側の段差面が当該垂直面となす傾斜角度よりも小さくしたので、軸筒側の縮径部に嵌め込んだグリップ部材に圧縮力を何ら加えない状態では、グリップ部材の鋭角的に尖った段差側端面の全体が傾斜した段差面に接することがない。換言すると、この状態では、段差側端面と段差面との間に部分的に隙間が形成、更に詳しく説明すると、グリップ部材の鋭角的に尖った先端部分と段差面との間に隙間が形成されるようになる。
【００１２】
ここで、グリップ部材には、使用時における軸筒の把持感を良好にするために、軸筒への組み込みが完了すると、軸方向に沿った圧縮力が加えられるのが一般的である。この圧縮力により、グリップ部材の段差側端面は、軸筒への組み込み完了後、傾斜した段差面側に向かって押圧され、その全体が当該段差面に接するようになる。このため、グリップ部材の鋭角的に尖った先端部分と段差面との間に形成される隙間が解消され、グリップ部材及び軸筒のそれぞれを構成する二つの異材質部材が形成する境界線が斜めに延び、これにより、優れた意匠を筆記具に付与することができる。
また、軸筒への組み込み完了後、グリップ部材の圧縮により、グリップ部材の段差側端面の全体が傾斜した段差面に接するようにしたので、グリップ部材の段差側端面を傾斜させても、グリップ部材の鋭角的に尖った先端部分が段差面に沿って移動して軸筒の表面から浮き上がることがなく、グリップ部材の先端部分が捲れて損傷しやすくなることも解消することができる。
【００１３】
従って、軸筒の中心軸に対して垂直な垂直面から傾斜した端面を有するグリップ部材により、優れた意匠を筆記具に付与することができ、しかも、グリップ部材の先端部分が捲れることがなく、この捲れに起因してグリップ部材が損傷しやすくなることもないので、傾斜した端面を有するグリップ部材を採用しても、当該グリップ部材の採用に起因する不具合が解消され、以上により、前記目的を達成することができる。
（第２発明の効果）
本発明の第２発明によれば、上記した本発明の第１発明の効果に加え、次のような効果を奏する。
【００１４】
すなわち、本発明の第２発明によれば、グリップ部材を縮径部の段差面と口先部材との間に配置するとともに、一端側に口先部材が螺合される軸筒を採用したので、口先部材を軸筒に螺合していくと、口先部材がグリップ部材に向かって移動し、これにより、口先部材の軸筒への螺合に伴い、グリップ部材の少なくとも最短部位に、軸筒の軸方向に沿った圧縮力が自動的に加わるようになる。
このため、口先部材の軸筒への螺合がある程度以上進まないと、グリップ部材の最長部位、換言すると、グリップ部材の鋭角的に尖った先端部分が軸筒側に段差面に接することがなく、これにより、当該最長部位に圧縮力を加えることなく、口先部材の軸筒への螺合に伴い、グリップ部材の最短部位には圧縮力を加えることが可能となる。
【００１５】
そして、グリップ部材の最短部位には圧縮力が加わるので、グリップ部材は、軸筒に螺合された口先部材の回り止めを行うようになり、傾斜した端面を有するグリップ部材を採用しても、振動等で口先部材の螺合が緩んだりせず、口先部材が不意に外れる等の不具合を未然に防止することができるうえ、グリップ部材の鋭角的に尖った先端部分に圧縮力が加わることがなく、先端部分への圧縮力の印加によって当該先端部分が軸筒側に段差面に強く押し付けられることもなくなり、この点からも、破損しやすくなる等の不具合を未然に防止することができる。
（第３発明の効果）
本発明の第３発明によれば、上記した本発明の第２発明の効果に加え、次のような効果を奏する。
【００１６】
すなわち、本発明の第３発明によれば、軸筒の軸方向に圧縮されていない非圧縮状態で縮径部に嵌め込まれると、その最長部位の端部と縮径部の前記段差面との間に締め代としての隙間が生じるようにグリップ部材を形成したので、口先部材を軸筒の一端側に最後まで螺合すると、グリップ部材の最長部位の端部と縮径部の段差面とが接し、グリップ部材の鋭角的に尖った先端部分と段差面との間に形成される隙間が確実に解消されるようになるうえ、グリップ部材の鋭角的に尖った先端部分が段差面に沿って移動して軸筒の表面から浮き上がることも確実に防止できるようになり、この点からも、優れた意匠を筆記具に付与するために、傾斜した端面を有するグリップ部材を採用しても、当該グリップ部材の採用に起因する不具合を確実に解消することができる。
【００１７】
（第４発明の効果）
本発明の第４発明によれば、上記した本発明の第３発明の効果に加え、次のような効果を奏する。
すなわち、本発明の第４発明によれば、互いに外径の異なる第１縮径部及び第２縮径部を縮径部に設けることで、縮径部に段差を形成するとともに、第１縮径部及び第２縮径部の境界部分の段差面を錐状段差面とし、且つ、グリップ部材の内周面に縮径部に対応した段差を形成し、さらに、段差部分に形成される段差面を、縮径部側の錐状段差面に対応した錐状段差面としたので、グリップ部材は、圧縮される際に、その錐状段差面で押圧力を受けることができるようになる。これにより、グリップ部材を口先部材側へ押圧する押圧力が最短部位の傾斜段差面側の端部に集中せず、グリップ部材に大きな力が集中して加わることが未然に防止され、この点からも、傾斜した端面を有するグリップ部材を採用しても、破損しやすくなる等の不具合を未然に防止することができる。
【００１８】
また、第１縮径部及び第２縮径部の境界部分の段差面、及び、グリップ部材の内周面に形成される段差面として、円錐台状に形成されるとともに、互いに対応する錐状段差面を採用したので、軸筒の傾斜段差面に向かってグリップ部材を押圧する大きな押圧力がグリップ部材に加わった際には、縮径部側の錐状段差面にグリップ部材側の錐状段差面が案内され、錐状段差面が形成された部分において、グリップ部材が径方向に広がるように変形し、これにより、当該押圧力をグリップ部材の径方向に逃がすことができる。従って、この点からも、グリップ部材を口先部材側へ押圧する押圧力が最短部位の傾斜段差面側の端部に集中せず、グリップ部材に大きな力が集中して加わることが未然に防止され、傾斜した端面を有するグリップ部材を採用しても、破損しやすくなる等の不具合を未然に防止することができる。
【発明を実施するための最良の形態】
【００１９】
以下に、本発明を実施するための最良の形態である一実施形態について、図面に基づいて説明する。
図１〜図４は、本実施形態を示すものである。図１は、本実施形態に係る筆記具を示す側面図、図２は、本実施形態に係る筆記具を示す断面図、図３、本実施形態の要部を示す拡大断面図、図４、本実施形態の要部の互いに異なる状態を示す拡大側面図である。
本実施形態に係る筆記具１は、図１及び図２に示すように、内蔵されたリフィル２が軸方向に移動可能に保持され、その後端部分に設けられた押しボタン３を押圧すると、内蔵されたリフィル２のペン先2Aが内部から繰り出されるノック式のボールペンである。
【００２０】
すなわち、筆記具１には、リフィル２及び押しボタン３に加えて、リフィル２を内部に収納する筒状に形成された軸筒10と、軸筒10の一端側である先端部分に螺合している略円錐状の口先部材４と、軸筒10の先端部分における使用者の把持しやすい部分に配置された筒状のグリップ部材５とが設けられている。
軸筒10は、使用者の衣服に設けられたポケットに差し込まれた際に、ポケットの布地を挟持するためのクリップ部材６が、その後端部分に一体化されたものとなっている。
このような軸筒10の後端部分の内部には、図２に示すように、リフィル２のペン先2Aを突没させる引き込み機構７が収納されている。引き込み機構７は、押しボタン３の押圧操作により、リフィル２のペン先2Aが繰り出されると、再度、押しボタン３の押圧操作が行われるまで、この繰り出し状態を維持するものである。また、引き込み機構７は、繰り出し状態において押しボタン３が押圧されると、リフィル２のペン先2Aを後退させて、軸筒10の内部に引き込ませるものでもある。
【００２１】
なお、このような引き込み機構７は、リフィル２を後端側へ付勢するコイルスプリング7A、このコイルスプリング7Aによって後端側へ付勢される回転カム（図示せず）、後軸の内壁に形成したカム溝（図示せず）等を有するものとなっている。
軸筒10は、図２及び図３に示すように、後端側の部位である軸後部10A よりも外径が小さく縮径された縮径部11が先端部分に形成されたものである。そして、この縮径部11に、熱可塑性エラストマー等の柔軟な弾性体からなるとともに、後端側の端面が傾斜した筒状のグリップ部材５が、軸筒10の先端側から嵌め込まれるようになっている。
ここで、縮径部11は、二段階に縮径されたものであり、後端側の第１縮径部11A よりも先端側の第２縮径部11B のほうが細く形成されている。
【００２２】
このうち、第２縮径部11B の先端近傍の部分は、外周面にネジ溝が形成された雄ネジとしての軸筒側ネジ部11C となっている。
一方、口先部材４は、底面が開口され、その内周面にネジ溝が形成されたものとなっている。これにより、口先部材４には、第２縮径部11B 側の軸筒側ネジ部11C と螺合する雌ネジとしての口先側ネジ部4Aが形成されている。そして、口先部材４は、第２縮径部11B 側の軸筒側ネジ部11C に、口先側ネジ部4Aを螺合させることにより、軸筒10に取り付けられている。
このように二段階に縮径された縮径部11により、軸筒10には、軸後部10A 及び第１縮径部11A の境界部分、並びに、第１縮径部11A 及び第２縮径部11B の境界部分のそれぞれにおいて段差を形成する段差面12, 13が形成されている。
【００２３】
このうち、軸後部10A 及び第１縮径部11A の境界部分で段差を形成している段差面12は、軸筒10の中心軸に対して垂直な垂直面から傾斜した傾斜段差面12となっている。
一方、第１縮径部11A 及び第２縮径部11B の境界部分で段差を形成している段差面13は、軸筒10の中心軸と同軸の円錐台状に形成された錐状段差面13となっている。
グリップ部材５は、軸筒10側の傾斜段差面12と対向する端面である段差側端面5Aが、軸筒10の中心軸に対して垂直な垂直面から傾斜するように形成されたものである。
一方、グリップ部材５における段差側端面5Aとは反対側の口先側端面5Bは、軸筒10の中心軸に対して垂直な垂直面となっている。
【００２４】
また、グリップ部材５の内周面は、軸筒10の第１縮径部11A 及び第２縮径部11B に対応して、先端側の内径が縮径され、これにより、グリップ部材５の内周面には、途中に段差を有する縮径部11に対応した段差が形成されている。
換言すると、グリップ部材５の内周面には、軸筒10側の錐状段差面13に対応して、軸筒10の中心軸と同軸の円錐台状に形成された錐状段差面5Cが形成されている。
ここで、図３（Ａ）は、口先部材４の口先側ネジ部4Aが軸筒10側の軸筒側ネジ部11C の途中まで螺合し、グリップ部材５には、軸筒10の軸方向に沿った圧縮力が加わっていない状態を示す拡大断面図である。図３（Ｂ）は、口先部材４の口先側ネジ部4Aが軸筒10側の軸筒側ネジ部11C の最後まで螺合し、グリップ部材５に、軸筒10の軸方向に沿った圧縮力が加わっている状態を示す拡大断面図である。
【００２５】
そして、グリップ部材５は、図３（Ａ）に示すように、その段差側端面5Aが、軸筒10の中心軸に対して垂直な垂直面と傾斜角度αをなす一方、軸筒10は、その傾斜段差面12が、軸筒10の中心軸に対して垂直な垂直面と傾斜角度βをなしている。
そして、グリップ部材５側の段差側端面5Aがなす傾斜角度αは、軸筒10の軸方向に沿った圧縮力が加わっていない、グリップ部材５本来の自然な状態においては、軸筒10側の傾斜段差面12がなす傾斜角度βよりも小さくなっている。
また、グリップ部材５には、段差側端面5Aを傾斜させたことによって、図４（Ａ）及び（Ｂ）に示すように、軸筒10の軸方向における長さ寸法が最も大きい最長部位5Dと最も小さい最短部位5Eとが形成されている。なお、図４（Ａ）及び（Ｂ）において、最長部位5Dは、図中、グリップ部材５の最も上方に位置する部位である一方、最短部位5Eは、図中、グリップ部材５の最も下方に位置する部位となっている。
【００２６】
同様に、縮径部11には、傾斜段差面12を傾斜させたことによって、図４（Ａ）に示すように、軸筒10の軸方向における長さ寸法が最も大きい最長部位11D と最も小さい最短部位11E とが形成されている。なお、図４（Ａ）において、最長部位11D は、図中、縮径部11の最も上方に位置する部位である一方、最短部位11E は、図中、縮径部11の最も下方に位置する部位となっている。
ここで、縮径部11は、図４（Ａ）及び（Ｄ）に示すように、口先部材４が軸筒側ネジ部11C の最後まで螺合すると、最長部位11D 側においてグリップ部材５に隠蔽される被覆最長部分11F を有するものとなっている。ここで、被覆最長部分11F は、軸筒10の軸方向における長さ寸法が最長部位11D から軸筒側ネジ部11C を除いた寸法となっている。
【００２７】
また、縮径部11は、図４（Ａ）及び（Ｄ）の如く、口先部材４が軸筒側ネジ部11C の最後まで螺合すると、最短部位11E 側においてグリップ部材５に隠蔽される被覆最短部分11G を有するものとなっている。ここで、被覆最短部分11G は、軸筒10の軸方向における長さ寸法が最短部位11E から軸筒側ネジ部11C を除いた寸法となっている。
以上において、グリップ部材５の最長部位5Dは、縮径部11の被覆最長部分11F とほぼ同じ長さ寸法を有し、グリップ部材５の最短部位5Eは、縮径部11の被覆最短部分11G よりも大きな長さ寸法を有している。
これにより、グリップ部材５は、縮径部11の傾斜段差面12と口先部材４との間に配置され、口先部材４が軸筒10の軸筒側ネジ部11C に螺合されると、少なくとも最短部位5Eが軸筒10の軸方向に圧縮されるように形成されている。
【００２８】
この際、グリップ部材５は、図４（Ｂ）に示すように、軸筒10の軸方向に圧縮されていない非圧縮状態で縮径部11に嵌め込まれると、換言すると、軸筒10の縮径部11に単に嵌め込まれただけの状態にされると、その最長部位5Dの端部と縮径部11の傾斜段差面12との間に締め代としての隙間Ｇが生じるように形成されている。
そして、グリップ部材５は、口先部材４が軸筒10側の軸筒側ネジ部11C に螺合され、口先部材４の軸筒10側との螺合が進むに伴い、図４（Ｃ）に示すように、口先部材４がグリップ部材５に向かって移動していき、前述したように、少なくとも最短部位5Eに、軸筒10の軸方向に沿った圧縮力が自動的に加わるようになっている。
【００２９】
これにより、グリップ部材５は、口先部材４の軸筒10側との螺合がある程度以上進まないと、グリップ部材５の最長部位5Dの先端部分、換言すると、グリップ部材５の鋭角的に尖った先端部分が軸筒10側に傾斜段差面12に接することがないように形成されている。
また、グリップ部材５は、最長部位5Dに圧縮力が加わらなくとも、口先部材４の軸筒10への螺合が進むに伴い、口先側端面5Bと、最短部位5Eの傾斜段差面12側の端部とが押圧され、最短部位5Eに圧縮力が加わるように形成されている。
一方、グリップ部材５は、内側においても、口先部材４の軸筒10側との螺合が進むに伴い、図３（Ｂ）の如く、その内周面に形成されている錐状段差面5Cが軸筒10側の錐状段差面13に接して押圧されるようになっている。これにより、グリップ部材５は、錐状段差面13と口先側端面5Bとの間の部分にも圧縮力が加わるようになっている。
【００３０】
そして、グリップ部材５は、圧縮される際に、口先側端面5B、錐状段差面5C、及び、最短部位5Eの傾斜段差面12側の端部で押圧力が受けるようになっている。
換言すると、グリップ部材５は、グリップ部材５を口先部材４側へ押圧する押圧力が最短部位5Eの傾斜段差面12側の端部に集中しないように、錐状段差面5C側に当該押圧力を分散して受けさせるように形成されている。
さらに、グリップ部材５は、図４（Ｃ）の如く、口先部材４の軸筒10への螺合に伴い、グリップ部材５の鋭角的に尖った先端部分が軸筒10側に傾斜段差面12に接近するようになっている。
【００３１】
そして、グリップ部材５は、口先部材４を軸筒10に最後まで螺合すると、図４（Ｄ）に示すように、グリップ部材５の最長部位5Dの端部と縮径部11の傾斜段差面12とが接し、グリップ部材５の鋭角的に尖った先端部分と傾斜段差面12との間に形成される隙間Ｇが解消されるようになっている。
前述のような本実施形態によれば、次のような効果が得られる。
すなわち、グリップ部材５の段差側端面5Aを傾斜させ、且つ、このグリップ部材５の傾斜した段差側端面5Aと対向する軸筒10側の傾斜段差面12も傾斜させたので、軸筒10の表面において、グリップ部材５と軸筒10との境界線が軸筒10の中心軸に対して斜めに延びるようになり、これにより、優れた意匠を筆記具に付与することができる。
【００３２】
そして、グリップ部材５側の段差側端面5Aの傾斜角度αを、軸筒10側の傾斜段差面12の傾斜角度βよりも小さくしたので、軸筒10側の縮径部11に嵌め込んだグリップ部材５に圧縮力を何ら加えない状態では、グリップ部材５の鋭角的に尖った段差側端面5Aの全体が傾斜した傾斜段差面12に接することがない。換言すると、この状態では、段差側端面5Aと傾斜段差面12との間に部分的に隙間Ｇが形成され、更に詳しく説明すると、グリップ部材５の鋭角的に尖った先端部分と傾斜段差面12との間に隙間Ｇが形成されるようになる。
ここで、グリップ部材５には、使用時における軸筒10の把持感を良好にするために、軸筒10への組み込みが完了すると、軸方向に沿った圧縮力が加えられるが、この圧縮力により、グリップ部材５の段差側端面5Aは、軸筒10への組み込み完了後、傾斜した傾斜段差面12側に向かって押圧され、その全体が当該傾斜段差面12に接するようになる。このため、グリップ部材５の鋭角的に尖った先端部分と、傾斜段差面12との間に形成される隙間Ｇが解消され、グリップ部材５及び軸筒10のそれぞれを構成する二つの異材質部材が形成する境界線が斜めに延び、これにより、優れた意匠を筆記具１に付与することができる。
【００３３】
また、軸筒10への組み込み完了後、グリップ部材５の圧縮により、グリップ部材５の段差側端面5Aの全体が傾斜した傾斜段差面12に接するようにしたので、グリップ部材５の段差側端面5Aを傾斜させても、グリップ部材５の鋭角的に尖った先端部分が傾斜段差面12に沿って移動して軸筒10の表面から浮き上がることがなく、グリップ部材５の先端部分が捲れて損傷しやすくなることも解消することができる。
従って、軸筒10の中心軸に対して垂直な垂直面から傾斜した段差側端面5Aを有するグリップ部材５により、優れた意匠を筆記具１に付与することができ、しかも、グリップ部材４の先端部分が捲れることがなく、この捲れに起因してグリップ部材５が損傷しやすくなることもないので、傾斜した端面を有するグリップ部材５を採用しても、当該グリップ部材５の採用に起因する不具合を解消することができる。
【００３４】
また、グリップ部材５を縮径部11の傾斜段差面12と口先部材４との間に配置するとともに、軸筒10の先端に口先部材４が螺合されるようにしたので、口先部材４を軸筒10に螺合していくと、口先部材４がグリップ部材５に向かって移動し、これにより、口先部材４の軸筒10への螺合に伴い、グリップ部材５の少なくとも最短部位5Eに、軸筒10の軸方向に沿った圧縮力が自動的に加わるようになる。
このため、口先部材４の軸筒10への螺合がある程度以上進まないと、グリップ部材５の最長部位5D、換言すると、グリップ部材５の鋭角的に尖った先端部分が軸筒10側に傾斜段差面12に接することがなく、これにより、当該最長部位5Dに圧縮力を加えることなく、口先部材４の軸筒10への螺合に伴い、グリップ部材５の最短部位5Eには圧縮力を加えることができる。
【００３５】
そして、グリップ部材５の最短部位5Eには圧縮力が加わるので、グリップ部材５は、軸筒10に螺合された口先部材４の回り止めを行うようになり、傾斜した段差側端面5Aを有するグリップ部材５を採用しても、振動等で口先部材４の螺合が緩んだりせず、口先部材４が不意に外れる等の不具合を未然に防止することができるうえ、グリップ部材５の鋭角的に尖った先端部分に圧縮力が加わることがなく、先端部分への圧縮力の印加によって当該先端部分が軸筒10側に段差面に強く押し付けられることもなくなり、この点からも、破損しやすくなる等の不具合を未然に防止することができる。
さらに、軸筒10の軸方向に圧縮されていない非圧縮状態で縮径部11に嵌め込まれると、その最長部位5Dの端部と縮径部11側の傾斜段差面12との間に締め代としての隙間Ｇが生じるように、グリップ部材５を形成したので、口先部材４を軸筒10の先端に最後まで螺合すると、グリップ部材５の最長部位5Dの端部と縮径部11側の傾斜段差面12とが接し、グリップ部材５の鋭角的に尖った先端部分と傾斜段差面12との間に形成される隙間Ｇを確実に解消することができるうえ、グリップ部材５の鋭角的に尖った先端部分が傾斜段差面12に沿って移動して、軸筒10の表面から浮き上がることも確実に防止することができる。従って、この点からも、優れた意匠を筆記具１に付与するために、傾斜した段差側端面5Aを有するグリップ部材５を採用しても、当該グリップ部材５の採用に起因する不具合を確実に解消することができる。
【００３６】
また、互いに外径の異なる第１縮径部11A 及び第２縮径部11B を縮径部11に設けることで、縮径部11に段差を形成するとともに、第１縮径部11A 及び第２縮径部11B の境界部分の段差面を錐状段差面13とし、且つ、グリップ部材５の内周面に縮径部11に対応した段差を形成し、さらに、グリップ部材５の内周面における段差部分に形成される段差面を、縮径部11側の錐状段差面13に対応した錐状段差面5Cとしたので、グリップ部材５は、圧縮される際に、その錐状段差面5Cで押圧力を受けることができるようになる。これにより、グリップ部材５を口先部材４側へ押圧する押圧力が最短部位5Eの傾斜段差面12側の端部に集中せず、グリップ部材５に大きな力が集中して加わることが未然に防止され、この点からも、傾斜した段差側端面5Aを有するグリップ部材５を採用しても、破損しやすくなる等の不具合を未然に防止することができる。
【００３７】
また、第１縮径部11A 及び第２縮径部11B の境界部分の段差面、及び、グリップ部材５の内周面に形成される段差面として、円錐台状に形成されるとともに互いに対応する錐状段差面13, 5Cを採用したので、軸筒10の傾斜段差面12に向かってグリップ部材５を押圧する大きな押圧力がグリップ部材５に加わった際には、縮径部11側の錐状段差面13にグリップ部材５側の錐状段差面5Cが案内され、錐状段差面5Cが形成された部分において、グリップ部材５が径方向に広がるように変形し、これにより、当該押圧力をグリップ部材５の径方向に逃がすことができる。
従って、この点からも、グリップ部材５を口先部材４側へ押圧する押圧力が最短部位5Eの傾斜段差面12側の端部に集中せず、グリップ部材５に大きな力が集中して加わることが未然に防止され、傾斜した段差側端面5Aを有するグリップ部材５を採用しても、破損しやすくなる等の不具合を未然に防止することができる。
【００３８】
なお、本発明は、前記実施形態に限定されるものではなく、本発明の目的を達成できる範囲における変形及び改良などをも含むものである。
例えば、前記実施形態では、軸筒に形成されていた軸筒側ネジ部を雄ネジとし、口先部材に形成されていた口先側ネジ部を雌ネジとしたが、逆に、軸筒側ネジ部を雌ネジとし、口先側ネジ部を雄ネジとしてもよい。
また、筆記具としては、ノック式のボールペンに限らず、キャップ式のボールペンでもよく、さらには、シャープペンシル、サインペン及び万年筆等、他の種類の筆記具でもよく、本発明は、指で挟持されるための形態を備えた筆記具全般に適用できる。
【図面の簡単な説明】
【００３９】
【図１】本発明の一実施形態に係る筆記具を示す側面図である。
【図２】前記実施形態に係る筆記具を示す断面図である。
【図３】前記実施形態の要部を示す拡大断面図である。
【図４】前記実施形態の要部の互いに異なる状態を示す拡大側面図である。
【符号の説明】
【００４０】
１    筆記具
４    口先部材
4A    雌ネジ部
５    グリップ部材
5A    段差側端面
5C    錐状段差面（グリップ部材側）
5D    最長部位（グリップ部材側）
5E    最短部位（グリップ部材側）
10    軸筒
11    縮径部
11A   第１縮径部
11B   第２縮径部
11D   最長部位（軸筒側）
11E   最短部位（軸筒側）
11F   被覆最長部分
11G   被覆最短部分
12    段差面としての傾斜段差面
13    錐状段差面（軸筒側）
α    傾斜角度（グリップ部材側）
β    傾斜角度（軸筒側）
Ｇ    隙間
【図１】
0005110691.tif 000002
【図２】
0005110691.tif 000003
【図３】
0005110691.tif 000004
【図４】
0005110691.tif 000005